(57)【特許請求の範囲】
【請求項１】
小径パイプの上端部に、上方に向けて小径となるテーパ部と、このテーパ部の上端に連なる小径円筒部を連成し、この小径円筒部の周壁に下部が外方に突出する弾性係止片と、小径円筒部の上端で開放する位置決め用の切り欠きを設け、上記小径パイプに外嵌挿入する大径パイプの内周面に、テーパ部の外面に適合するテーパ状の内径を有し、弾性係止片を押し込みながら小径円筒部を通過してテーパ部に嵌合させることにより弾性係止片の下端に係合して抜け止め状態となるテーパリングと、位置決め用の切り欠きに係合する位置決めピンを固定した異径パイプの接続装置。
【請求項２】
前記大径パイプがポールで小径パイプがこのポールを地面に起立させるための取付けパイプであり、取付けパイプをベース板上に起立固定し、ポールは、テーパリングが取付けパイプのテーパ部に嵌合する状態で、その下端がベース板上に当接するようになっている請求項１に記載の異径パイプの接続装置。
【請求項３】
前記取付けパイプの下端側を拡径して、この拡径部の上端に外側へ下がり傾斜となるテーパ段部を形成し、テーパリングが取付けパイプのテーパ部に嵌合する状態で、ポールの下端に設けたテーパ面をテーパ段部に当接させた請求項２に記載の異径パイプの接続装置。
【請求項４】
前記小径パイプの下端側を拡径して、この拡径部の上端に外側へ下がり傾斜となるテーパ段部を形成し、前記大径パイプの下端を、テーパリングが小径パイプのテーパ部に嵌合する状態で、テーパ段部にクッション材を介して適合するテーパ面に形成した請求項１に記載の異径パイプの接続装置。
【請求項５】
前記大径パイプがポールにおける上部柱で、小径パイプがこのポールの下部柱と上部柱を接続するジョイントパイプであり、下部柱の内部に小径パイプの下端を圧入嵌合する環状板を固定し、この下部柱の絞り加工により縮径した上端部開口に、小径パイプのテーパ段部より下方の位置を溶接した請求項４に記載の異径パイプの接続装置。
【発明の詳細な説明】
【０００１】
【発明の属する技術分野】
この発明は、大径パイプと小径パイプを軸方向及び径方向に結合する異径パイプの接続装置、更に詳しくは、大径パイプと小径パイプの組み合わせによって形成される街路灯用のポールの組み立てに用いて有効な接続装置に関する。
【０００２】
【従来の技術】
街路灯用のポールは長尺のパイプ構造物であるが、これを一本のパイプで形成すると、材料的な無駄だけでなく、ストックのために極めて広いスペースを必要とし、輸送にもコストがかかるため、ポールを大径の下部柱と小径の上部柱に分け、これを現地で接続することによりポールを組み立てることが行われており、このような接続による組み立てを採用すると、材料的な無駄が省け、ストック時の省スペース化と輸送コストの削減が図れるという利点がある。
【０００３】
図５は、従来のポールにおける大径の下部柱１と小径の上部柱２の接続構造を示し、下部柱１の上端内部に環状板３を溶接し、この環状板３に下端を嵌挿したジョイントパイプ４を下部柱１の上方に同軸心状の配置で突設し、この後下部柱１の上端を絞り加工により縮径してジョイントパイプ４の外周に上端部開口を接合させ、ジョイントパイプ４に外嵌したジョイントカバー５を下部柱１の上端に位置させた状態で、ジョイントパイプ４に上部柱２を外嵌挿入し、上部柱２の下端をジョイントカバー５に嵌合した状態で、上部柱２の外部からこの上部柱２とジョイントパイプ４を複数のセットボルト６のねじ込みで結合し、下部柱１と上部柱２を軸方向及び径方向に結合するようにしている。
【０００４】
【発明が解決しようとする課題】
ところで、上記のような従来の接続構造は、ジョイントカバー５やセットボルト６が外部から見え、外観的に仕上がりの体裁が悪いだけでなく、接続にセットボルト６のねじ込み作業が必要になり、接続に手間がかかるという問題がある。
【０００５】
また、下部柱１に載せたジョイントカバー５に上部柱２の下端を嵌合すると共に、上部柱２の外部からセットボルト６をねじ込む構造になっているため、これらの部分からポールの内部に雨水が浸入し、ポールに内部からの腐食が発生するという問題もある。
【０００６】
そこで、この発明の課題は、接続作業が嵌め込みだけで簡単に行え、かつ、接続部分の外部に突出部分の発生がなく、外観的にスッキリとした外形に仕上がると共に、防水性に優れ、内部への雨水の浸入がない異径パイプの接続装置を提供することにある。
【０００７】
【課題を解決するための手段】
上記のような課題を解決するため、この発明は、小径パイプの上端部に、上方に向けて小径となるテーパ部と、このテーパ部の上端に連なる小径円筒部を連成し、この小径円筒部の周壁に下部が外方に突出する弾性係止片と、小径円筒部の上端で開放する位置決め用の切り欠きを設け、上記小径パイプに外嵌挿入する大径パイプの内周面に、テーパ部の外面に適合するテーパ状の内径を有し、弾性係止片を押し込みながら小径円筒部を通過してテーパ部に嵌合させることにより弾性係止片の下端に係合して抜け止め状態となるテーパリングと、位置決め用の切り欠きに係合する位置決めピンを固定した構成を採用したものである。
【０００８】
前記の大径パイプは街路灯用のポールであり、小径パイプがこのポールを地面に起立させるための取付けパイプとなり、小径パイプをベース板上に起立固定し、大径パイプは、テーパリングが小径パイプのテーパ部に嵌合する状態で、その下端がベース板上に当接するようにしたり、取付けパイプの下端側を拡径して、この拡径部の上端に外側へ下がり傾斜となるテーパ段部を形成し、テーパリングが取付けパイプのテーパ部に嵌合する状態で、ポールの下端に設けたテーパ面をテーパ段部に当接させるようにすることができる。
【０００９】
また、前記小径パイプの下端側を拡径して、この拡径部の上端に外側へ下がり傾斜となるテーパ段部を形成し、前記大径パイプの下端を、テーパリングが小径パイプのテーパ部に嵌合する状態で、テーパ段部にクッション材を介して適合するテーパ面に形成することもできる。
【００１０】
さらに、前記大径パイプがポールにおける上部柱で、小径パイプがこのポールの下部柱と上部柱を接続するジョイントパイプとなり、下部柱の内部に小径パイプの下端を圧入嵌合する環状板を固定し、この下部柱の絞り加工により縮径した上端部開口に、小径パイプのテーパ段部より下方の位置を溶接するようにしてもよい。
【００１１】
上記のように、小径パイプに大径パイプを挿入するだけで簡単に接続が行え、しかも、接続部分の外部に突出部分の発生がなく、ボルトによる固定を必要としないので、防水性にも優れている。
【００１２】
【発明の実施の形態】
以下、この発明の実施の形態を図示例と共に説明する。
【００１３】
図１（Ａ）は、街路灯用ポールの接続にこの発明の接続装置を使用した状態を示し、図２と図３の第１の実施の形態は、ポールにおける下部柱と上部柱の接続に用いた例であり、下部柱１１は大径のパイプを、また、上部柱１２はそれよりも小径のパイプを用いて形成されている。
【００１４】
上記した接続装置において、下部柱１１と上部柱１２を接続するジョイントパイプ１３がこの発明の小径パイプで、上部柱１２が大径パイプに該当する。
【００１５】
前記ジョイントパイプ１３は、上下に十分な長さと上部柱１２の内径が適合する外径を有し、その上端部に、上方に向けて小径となるテーパ部１４と、このテーパ部１４の上端に連なる小径円筒部１５が絞り加工によって連成され、この小径円筒部１５の周壁に、上向きコ字状の切れ目で囲まれた部分を切りおこすことにより、下部が外方に突出する複数の弾性係止片１６と、小径円筒部１５の上端で開放する位置決め用の切り欠き１７が設けられている。
【００１６】
また、ジョイントパイプ１３の下端側は拡径加工して大径部１８となり、この大径部１８の上端に外側へ下がり傾斜となるテーパ段部１９が形成されている。
【００１７】
上記上部柱１２の内周面に、テーパ部１４の外面に適合するテーパ状の内径を有し、上部外周に筒壁２０が設けられ、筒壁２０の下端内周に段部２１が形成されたテーパリング２２が溶接によって固定されている。
【００１８】
このテーパリング２２は、ジョイントパイプ１３に上部柱１２を嵌挿したとき、テーパリング２２の内径がジョイントパイプ１３の小径円筒部１５に嵌合して軸方向に移動し、テーパリング２２の内径で弾性係止片１６を押し込みながら小径円筒部１５を通過してテーパ部１４に嵌合させることにより、段部２１が弾性係止片１６の下端に係合して抜け止め状態となる。
【００１９】
また、上部柱１２の内周面には、ジョイントパイプ１３に嵌挿したとき、位置決め用の切り欠き１７に係合する位置決めピン２３が固定され、切り欠き１７とピン２３の係合で上部柱１２とジョイントパイプ１３の回転の発生を防いでいる。
【００２０】
上記ジョイントパイプ１３を固定する下部柱１１の上端寄りの内部に、ジョイントパイプ１３の大径部１８における下端を圧入嵌合する環状板２４を溶接によって固定し、環状板２４に大径部１８の下端を圧入した状態で、下部柱１１の絞り加工により縮径した上端部開口を、ジョイントパイプ１３のテーパ段部１９より下方の位置に溶接することにより、ジョイントパイプ１３は下部柱１１の上端に同軸心の配置で延長状に固定される。
【００２１】
上記上部柱１２は、テーパリング２２の固定部分から下端までの長さが、テーパリング２２がジョイントパイプ１３のテーパ部１４に嵌合する状態で、その下端がテーパ段部１９にゴム等の防水用クッション材２５を介して圧接するように設定され、該下端はテーパ段部１９に適合するテーパ面２６に形成されている。
【００２２】
図１（Ａ）の下半部に示す第２の実施の形態は、街路灯用のポールにおける下部柱１１を地面に起立させるための接続に用いた例である。この第２の実施の形態では、この発明でいう小径パイプがこのポールを地面に起立させるための取付けパイプ３１となり、大径パイプは下部柱１１となる。なお、上述した第１の実施の形態と同一部分には同一符号を付して説明に代える。
【００２３】
上記取付けパイプ３１は、下部柱１１の内径に適合する外径を有し、上端部にテーパ部１４と小径円筒部１５、複数の弾性係止片１６、位置決め用の切り欠き１７が設けられ、この取付けパイプ３１がベース板３２上に起立固定されている。
【００２４】
また、下部柱１１は、下端部内周にテーパリング２２と位置決め用のピン２３が固定され、下部柱１１を取付けパイプ３１に嵌挿してテーパリング２２が取付けパイプ３１のテーパ部１４に嵌合する状態で、その下端がベース板３２上に当接するようになっている。
【００２５】
図１（Ｂ）は、下部柱１１と取付けパイプ３１の下端構造の他の例を示し、取付けパイプ３１の下端側にベース板３２へ固定する拡径部３６を設け、この拡径部３６の上端に外側へ下がり傾斜となるテーパ段部３７を形成し、テーパリング２２が取付けパイプ３１のテーパ部１４に嵌合する状態で、下部柱１１の下端に設けたテーパ面３８をテーパ段部３７に当接させている。
【００２６】
上記ベース板３２はアンカーボルトで地面に固定するが、図４（Ｂ）は、下部柱１１を取付けパイプ３１に接続した状態で、下部柱１１の起立強度を向上させるため、下部柱１１とベース板３２を複数のブラケット３３で固定化した例を示している。
【００２７】
また、図４（Ｃ）は、地面に対するベース板３２の固定強度を向上させるため、ベース板３２の下面に地面へ埋め込まれるパイプ３４と、このパイプ３４とベース板３２の下面との間に複数のブラケット３５を設けた例を示している。
【００２８】
この発明の接続装置は、上記のような構成であり、次に、第１の実施の形態を例にして下部柱１１と上部柱１２の接続方法を説明する。
【００２９】
下部柱１１の上端に予めジョイントパイプ１３を同軸心の配置で延長状に固定しておき、下部柱１１に上部柱１２を接続するには、上部柱１２の下端をジョイントパイプ１３に挿入する。このとき、上部柱１２の内面に設けた位置決めピン２３とジョイントパイプ１３の位置決め用切り欠き１７の位相を合わせておく。
【００３０】
ジョイントパイプ１３に上部柱１２を挿入すると、テーパリング２２がジョイントパイプ１３の上端に設けた小径円筒部１５に嵌合し、上部柱１２を押し込むとテーパリング２２の内周が弾性係止片１６を内側に押し戻すことによって小径円筒部１５を強制的に通過し、テーパリング２２の内周が弾性係止片１６の下端を通過すると、テーパリング２２はジョイントパイプ１３のテーパ部１４に嵌合し、これと同時に弾性係止片１６が復元弾性で外方に突出し、その下端がテーパリング２２の段部２１に係合する。
【００３１】
また、テーパリング２２がジョイントパイプ１３のテーパ部１４に嵌合すると、位置決めピン２３が位置決め用切り欠き１７に嵌合し、これにより、下部柱１１と上部柱１２は、上下に抜け止めと回り止め状態で同軸心に接続されることになる。
【００３２】
なお、下部柱１１と上部柱１２の接続においては、上部柱１２の下端テーパ面２５がジョイントパイプ１３の下部に設けたテーパ段部１９にクッション材２５を介して圧接し、防水状態になっている。
【００３３】
上記のように、下部柱１１と上部柱１２の接続は、ジョイントパイプ１３に上部柱１２を嵌挿して押し込むだけでよく、接続状態で下部柱１１と上部柱１２の外面に突出部分の発生がなく、スッキリとした外観に仕上がると共に、外部にねじ孔や隙間がないので防水性も優れたものとなる。
【００３４】
なお、下部柱１１と取付けパイプ３１の接続も、上記と同様の操作によって行うことができる。
【００３５】
【発明の効果】
以上のように、この発明によると、小径パイプの上端部にテーパ部と小径円筒部を連成し、この小径円筒部の周壁に下部が外方に突出する弾性係止片と、小径円筒部の上端で開放する位置決め用の切り欠きを設け、上記小径パイプに外嵌挿入する大径パイプの内周面に、テーパ部の外面に適合するテーパリングと、位置決め用の切り欠きに係合する位置決めピンを固定したので、小径パイプに大径パイプを嵌挿して押し込むだけで、小径パイプと大径パイプを、上下に抜け止めと回り止め状態で同軸心に接続することができ、接続作業が簡単に行えるだけでなく、外面に突出部分の発生がなく、外観の向上と共に外部にねじ孔や隙間がないので防水性に優れた接続が得られることになり、例えば、風雨に曝される街路灯用のポールの接続に用いて極めて有用である。
【図面の簡単な説明】
【図１】（Ａ）はこの発明の接続装置を街路灯用ポールの接続に使用した状態を示す縦断正面図、（Ｂ）は下部柱と取付けパイプの下端構造の他の例を示す縦断正面図
【図２】接続装置の第１の実施の形態であるジョイントパイプと上部柱の接続構造を示す分解斜視図
【図３】同上のジョイントパイプと上部柱を接続した状態を示す拡大縦断正面図
【図４】（Ａ）は接続装置の第２の実施の形態である取付けパイプと下部柱の接続状態を示す斜視図、（Ｂ）は同上の下部柱とベース板の間に複数のブラケットを設けた例の斜視図、（Ｃ）は同じくベース板の下面にブラケットを設けた例の斜視図
【図５】街路灯用ポールの従来の接続装置を示す縦断面図
【符号の説明】
１１  下部柱
１２  上部柱
１３  ジョイントパイプ
１４  テーパ部
１５  小径円筒部
１６  弾性係止片
１７  位置決め用の切り欠き
１８  大径部
１９  テーパ段部
２０  筒壁
２１  段部
２２  テーパリング
２３  位置決めピン
２４  環状板
２５  防水用クッション材
２６  テーパ面
３１  取付けパイプ
３２  ベース板
３３  ブラケット
３４  パイプ
３５  ブラケット
【図１】
0004441068.tif 000002
【図２】
0004441068.tif 000003
【図３】
0004441068.tif 000004
【図４】
0004441068.tif 000005
【図５】
0004441068.tif 000006